(57)【要約】  【課題】たとえシャッター式の蓋体の外側面側を表装材で加飾したとしても、従来装置において生起してしまう周長の差を吸収するようにして、常に蓋体の開閉動を円滑に行えるように構成する。  【構成】蓋体３を共に構成する蓋体本体３１に対して蓋体表装体３２を相対移動可能に構成していると共に、蓋体３が屈曲して蓋体収納袋部９に収納される際の蓋体本体３１に対する蓋体表装体３２側に発生する周長の差を調整するために、蓋体本体３１と蓋体表装体３２との間にスプリング６を有して構成する周長調整手段７を設置して、スプリング６の弾発付勢力によって蓋体本体３１に対して蓋体表装体３２を蓋体３の閉動方向に引っ張り込むことによって蓋体本体３１に対する蓋体表装体３２の周長差を調整するように構成した．【選択図】図２
2011190601.tif 000002
【特許請求の範囲】
【請求項１】
物品を出し入れ可能にする開口部を有する収納部と、前記開口部の対向側壁にそれぞれ互いに対向するように設置された一対のガイドレールと、該ガイドレールにスライド可能に配設されて前記開口部を開閉するとともに当該開口部の開時に前記収納部に設けられた蓋体収納袋部に屈曲して収納されるシャッター式の蓋体とを、備える収納装置であって、前記蓋体は、前記ガイドレールの延在方向に屈曲可能に構成されて前記一対のガイドレールにスライド可能に係合する蓋体本体と、前記蓋体本体の外側面側を加飾すべく張設する蓋体表装体とを有して構成し、前記蓋体本体に対して前記蓋体表装体を相対移動可能に構成していると共に、前記蓋体が屈曲して前記蓋体収納袋部に収納される際の前記蓋体本体に対する前記蓋体表装体側に発生する周長の差を調整する周長調整手段を、前記蓋体本体と前記蓋体表装体との間に設置したことを特徴とするシャッター方式の蓋体を備えた収納装置。
【請求項２】
前記周長調整手段は、前記蓋体本体と前記蓋体表装体との間にスプリングを縮設し、該スプリングの弾発付勢力によって前記蓋体本体に対して前記蓋体表装体を前記蓋体の閉動方向に引っ張り込むことによって前記蓋体本体に対する前記蓋体表装体の周長差を調整するように構成したことを特徴とする請求項１に記載のシャッター方式の蓋体を備えた収納装置。
【請求項３】
前記スプリングは、前記蓋体本体に一体成形されたスプリング着座部に設置した状態で、前記蓋体本体と前記蓋体表装体との間に縮設されていることを特徴とする請求項２に記載のシャッター方式の蓋体を備えた収納装置。
【請求項４】
前記蓋体本体の前記外側面に、前記蓋体の開閉動方向に長尺となる複数個の長孔を形成するとともに、前記蓋体表装体の内側面側に前記長孔内を前記蓋体の開閉動方向に摺動可能に嵌合されるピン体を設けることにより、前記蓋体本体に対して前記蓋体表装体を前記開閉動方向に相対移動可能に構成していることを特徴とする請求項１乃至請求項３のいずれか一に記載のシャッター方式の蓋体を備えた収納装置。
【請求項５】
前記蓋体表装体は、前記蓋体本体の前記外側面側に張設される屈曲可能なプレート体と、該プレート体の外側面側に重合して表装するフィルム体とを有して構成したことを特徴とする請求項１乃至４のいずれか一に記載のシャッター方式の蓋体を備えた収納装置。
【請求項６】
前記プレート体は、軟質板材により構成したことを特徴とする請求項５に記載のシャッター方式の蓋体を備えた収納装置。
【発明の詳細な説明】
【技術分野】
【０００１】
本発明は、物品が出し入れ可能な開口部をシャッター式の蓋体により開閉可能とするとともに、前記蓋体をその開口部閉成時に屈曲させて収納するように構成することにより、例えば自動車のコンソールボックス或いはカップホルダーなどとして使用されるシャッター方式の蓋体を備えた収納装置に関する。
【背景技術】
【０００２】
従来におけるこの種の収納装置においては、例えば特許文献１に記載されているように、開口部を開閉するドア (蓋体)が、屈曲可能な軟質シートからなるテープに互いに別々の複数のピース（セル）を個別的に揺動可能にヒンジ結合して構成され、湾曲部を有するレール部材（ガイドレール部材）にスライド可能に支持され、レール部材にスライドさせた後収納するようになっている。
【０００３】
したがって、開口部が屈曲可能なドアによって開閉され、しかも開口部の閉時には収納されることになって、開口部の開口面積を拡大することができるとともに、ドアのスライド量を調整することによって、開口部を半開状態に保持することも可能となり、使用者の便宜に適った収納装置であるといえ、比較的大型の収納スペースを必要とする自動車などに最近広く適用されている。
【先行技術文献】
【特許文献】
【０００４】
【特許文献１】特開２００３−２０８５１号公報。
【発明の開示】
【発明が解決しようとする課題】
【０００５】
しかしながら、上記従来の収納装置におけるドアは、複数のピースをテープに固定することによってレール部材の屈曲部に合わせて屈曲可能になるように構成しているために、互いに隣接するピース同士の対向部位には、どうしても隙間が形成されてしまい、面一・一体感のあるドアには構成することができず、意匠面において課題を残すものであった。
【０００６】
かかる課題を解消するための対策としては、当該ドアの外側面側に例えばシート状或いはフィルム状の表装材を張設することにより、加飾を施すことが考えられる。
【０００７】
このようにドアの外側面側に表装材により加飾を施して構成する場合には、新たな課題が生起することになる。
【０００８】
即ち、かかるドアは、各セルが個別に揺動することにより屈曲可能に構成されてガイドレール部材の屈曲部にスライド可能に追従するように構成しているために、屈曲によってドアの外側面側に存するシート状或いはフィルム状の表装材との間に周長の差が生じてしまい、かかる周長の差をそのままにドアを開閉動させた場合には、当該開閉動作に大きな操作力が必要となって、ドアの開閉動作を円滑に行うことができなくなってしまう。
【０００９】
そこで、本発明は、たとえシャッター式の蓋体の外側面側を表装材で加飾したとしても、従来装置において生起してしまう周長の差を吸収するようにして、常に蓋体の開閉動を円滑に行えるように構成したシャッター方式の蓋体を備えた収納装置を提供することを目的としている。
【課題を解決するための手段】
【００１０】
本発明に係るシャッター方式の蓋体を備えた収納装置は、物品を出し入れ可能にする開口部を有する収納部と、前記開口部の対向側壁にそれぞれ互いに対向するように設置された一対のガイドレールと、該ガイドレールにスライド可能に配設されて前記開口部を開閉するとともに当該開口部の開時に前記収納部に設けられた蓋体収納袋部に屈曲して収納されるシャッター式の蓋体とを、備える収納装置であって、前記蓋体は、前記ガイドレールの延在方向に屈曲可能に構成されて前記一対のガイドレールにスライド可能に係合する蓋体本体と、前記蓋体本体の外側面側を加飾すべく張設する蓋体表装体とを有して構成し、前記蓋体本体に対して前記蓋体表装体を相対移動可能に構成していると共に、前記蓋体が屈曲して前記蓋体収納袋部に収納される際の前記蓋体本体に対する前記蓋体表装体側に発生する周長の差を調整する周長調整手段を、前記蓋体本体と前記蓋体表装体との間に設置したことを特徴とする。
【００１１】
かかる構成を有する本発明は、たとえ蓋体が蓋体収納袋部に屈曲して収納される際に蓋体本体に対して蓋体表装体に周長差が生じたとしても、かかる周長差を周長調整手段が調整して吸収することができることになり、蓋体の開閉動を常に円滑に行うことができる。
【００１２】
また、本発明は、上記発明の実施の形態として、前記周長調整手段を、前記蓋体本体と前記蓋体表装体との間にスプリングを縮設し、該スプリングの弾発付勢力によって前記蓋体本体に対して前記蓋体表装体を前記蓋体の閉動方向に引っ張り込むことによって前記蓋体本体に対する前記蓋体表装体の周長差を調整するように構成することができる。
【００１３】
かかる構成を有する本発明の実施の形態においては、スプリングにより蓋体表装体が蓋体本体に対して相対的に蓋体の閉動方向に付勢されているために、たとえ蓋体が蓋体収納袋部に収納される際に屈曲したとしても、蓋体表装体の周長差はスプリングの弾発力により吸収されることになり、蓋体の開閉動を常に円滑に行うことができる。
【００１４】
また、本発明は、上記発明の実施の形態として、前記スプリングを、前記蓋体本体に一体成形されたスプリング着座部に設置した状態で、前記蓋体本体と前記蓋体表装体との間に縮設されているように構成することができる。
【００１５】
かかる構成を有する本発明は、スプリングを取付けるためのスプリング座を蓋体本体に一体成形したことにより、部品点数を削減して周長調整手段を構成することができ、しかも、スプリングの設置作業を簡単化することができる。
【００１６】
また、本発明は、上記発明の実施の形態として、前記蓋体本体の前記外側面に、前記蓋体の開閉動方向に長く延在するような複数個の長孔を形成するとともに、前記蓋体表装体に内側面側に前記長孔内を前記蓋体の開閉動方向に摺動可能なピン体を設けることにより、前記蓋体本体に対して前記蓋体表装体を前記開閉動方向に相対移動可能に構成していることを特徴とする。
【００１７】
かかる構成を有する本発明は、蓋体本体に蓋体表装体を張設して加飾するには、単に、長孔内にピン体を嵌合した上で、例えば収納部の開口部の外延縁部に取付けることにより縁取り加飾する額縁状のフィニッシャ部材を用いて蓋体自体を押さえ込むようにすることだけで、可能となり、また、かかるフィニッシャ部材を取り外すことにより、蓋体表装体をデザインの異なったものに交換することができ、意匠面の選択自由度を増すことができる。
【００１８】
また、本発明は、上記発明の実施の形態として、前記蓋体表装体を、前記蓋体本体の外側面側側に張設される屈曲可能なプレート体と、該プレート体の外側面側側に重合して表装するフィルム体とを有して構成することができる。
【００１９】
かかる構成を有する本発明は、蓋体表装体が蓋体本体の外側面側を張設するプレート体とこのプレート体の外側面側に重合して表出するフィルム体との二構成タイプとしたことにより、異なったデザインを持ったフィルム体を色々に選択することによって、多種多様な意匠面を有する蓋体を製作することができる。
【００２０】
また、本発明は、上記発明の実施の形態として、前記プレート体を、軟質板材により構成することができる。
【００２１】
かかる構成を有する本発明は、蓋体本体の屈曲変形をさらに容易にすることができて、蓋体の開閉動をますます円滑に果たせることができる。
【発明の効果】
【００２２】
本発明は、たとえ蓋体が蓋体収納袋部に屈曲して収納される際に、蓋体本体に対して蓋体表装体に周長差が生じたとしても、かかる周長差を周長調整手段が調整して吸収することができることになり、蓋体の開閉動を常に円滑に行うことができる。
【図面の簡単な説明】
【００２３】
【図１】本発明の実施例におけるシャッター方式の蓋体を備えた収納装置を描画した概略斜視図である。
【図２】同じく、分解斜視図である。
【図３】図１におけるレール部材を省略して描画した概略縦断面図である。
【図４】図１の要部を描画した一部概略横断面図である。
【図５】図１における蓋体の閉時状態を描画した作用説明図である。
【図６】図１における蓋体の開時状態を描画した作用説明図である。
【発明を実施するための形態】
【００２４】
本発明の実際例に係るシャッター方式の蓋体を備えた収納装置は、たとえ蓋体本体が蓋体収納袋部に屈曲して収納された際に蓋体本体に対して蓋体表装体に周長差が生じたとしても、かかる周長差を周長調整手段が調整して吸収することにより、蓋体の開閉動を常に円滑に行うことができるように構成したものである。
【００２５】
次に、本発明のシャッター方式の蓋体を備えた収納装置に係る実施例について、図を用いて説明する。
【実施例１】
【００２６】
図に示す蓋体を備えた収納装置は、自動車の運転席と助手席との間に配設されるアームレスト兼用のコンソールボックスに適用した場合の実施例を示している。
【００２７】
まず、図１において、本実施例に係る収納装置１は、ほぼ矩形状箱型に形成された収納部２を有しており、収納部２は、上部が物品が出し入れ可能とする開口部２ａとなっており、開口部２ａは、その長辺側の対向側壁に互いに対向するように設置されたガイドレール部材５（図２参照）に配設されたシャッター方式の蓋体３により開閉可能になっていると共に、開口部２ａの外延縁部は、額縁状に形成したフィニッシャ部材４により縁取り加飾されている。
【００２８】
そして、開口部２ａを開閉する蓋体３は、ガイドレール部材５の延在方向に配列された複数のセル３１ａを連結体３１ｂに形成したヒンジ部３１ｂ−１により互いに屈曲可能に例えば一体成形により連結して構成する蓋体本体３１と、蓋体本体３１の外側面側を加飾すべく張設される蓋体表装体３２とを有して構成されている。
【００２９】
連結体３１ｂの前端側には前端ピース３３が形成されており、前端ピース３３は、蓋体表装体３２の前端片３２ｅとともに、蓋体３の開閉動の際の乗員のつまみ部となるノブ片３３ａを装着するようになっている。
【００３０】
蓋体本体３１の各セル３１ａの両側部には、ガイド軸３１ａー１が突設されており、また、蓋体本体３１の連結体３１ｂの外側面側（図において上面側）は、セル３１ａ間にヒンジ部３１ｂ−１が存するために複数の凹部３１ａ−２を有して構成されていると共に、長辺側両側端に複数個のピン体３１ｂ−３が上向きに突出形成されている。
【００３１】
蓋体表装体３２は、蓋体本体３１の外側面側に張設する屈曲可能なプレート体３２ａと、プレート体３２ａの外側面側に重合して貼着表装されるフィルム体３２ｂとを有して構成している。プレート体３２ａの内側面側には、連結体３１ｂに形成された凹部３１ｂ−２にそれぞれ係合する複数の係合突起３２ａ−１が形成されている。
【００３２】
そして、プレート体３２ａは、屈曲可能な硬質板材で構成してもよいが、本実施例においては、エラストマーのような軟質材にて構成している。また、フィルム体３２ｂは、予め木目調或いは色彩等施して製作した薄板プラスチック板等により構成して、意匠的効果を醸し出している。
【００３３】
このように構成された蓋体表装体３２は、その長辺側両側端にピン体３１ｂ−３に対応して蓋体３の開閉動方向に長尺となる複数個の長孔３２ｃが貫通形成されており、長孔３２ｃ内にピン体３１ｂ−３を嵌合することにより、蓋体本体３１に組み付けられることになる。この組み付けは、蓋体本体３１に対して蓋体表装体３２が、長孔３２ｃ内をピン体３１ｂ−３が蓋体３の開閉動方向に摺動することによって、相対移動可能に構成すべくなされていると共に、かかる開閉動方向に対して交差する方向に対しては、ピン体３１ｂ−３が長孔３２ｃの両対向側壁に当接して、相対移動しないようになっている。
【００３４】
また、蓋体本体３１の連結体３１ｂの後端側には、後端ピース３４が設けられており、後端ピース３４は、その後方端面に一対の突起３４ａが突設され、突起３４ａにそれぞれコイル状のスプリング６を挿入することにより、スプリング座を構成している。
【００３５】
さらに、プレート体３２ａの後端側には、後端片３２ｆが形成されており、後端片３２ｆには、下向きに突出するフランジ片３２ｆ−１が形成されており、フランジ片３２ｆ−１には、後端ピース３４に設けた突起３４ａを遊嵌する筒状体３２ｆ−２が突設されている。
【００３６】
そこで、後端ピース３４の突起３４ａが、スプリング６を嵌合した状態で筒状体３２ｆ−２に遊嵌することにより、スプリング６を蓋体本体３１と蓋体表装体３２との間に縮設できるように構成しており、これにより、周長調整手段７を構成していることになる。
【００３７】
かかる周長調整手段７は、スプリング６の弾発力により蓋体本体３１に対して、蓋体表装体３２を蓋体３の閉動方向に付勢力を付与するように構成している。
【００３８】
収納部２の開口部２ａにおける対向側壁には、収納部２の長手方向に延在するように、ピン体３１ｂ−３が嵌合摺動することにより、蓋体３を開閉動すべくスライド可能に配設する一対のガイドレール部材５が設置されている。ガイドレール部材５は、その後端側が屈曲した状態で、収納部２が構成する蓋体収納袋部９へと延設されている。
【００３９】
そして、本実施例に係る収納装置は、まず、プレート体３２ａ及びフィルム体３２ｂを貼設して構成された蓋体表装体３２を、係合突起３２ｅー１が凹部３１ｂ−２に係合されると共に長孔３２ｃがピン体３１ｂ−３を嵌合した状態において、蓋体本体３１の外側面側に張設されて、蓋体３を構成することになる。
【００４０】
この際、スプリング６を挿入した突起３４ａを筒状態３２ｆ−２に嵌合することによって、蓋体表装体３２は、ピン体３１ｂ−３が長孔３２ｃ内を蓋体３の開閉方向に摺動できる状態で、蓋体本体３１に対して蓋体３の閉動方向に付勢されることになる。
【００４１】
かかる組み付け状態を保持した状態で、蓋体本体３１ガイド軸３１ａ−１をガイドレール部材５内に嵌合することにより、蓋体３は、収納部２の開口部２ａを閉塞することになり（図１及び図３に示す状態）、フィニッシャ部材４を収納部２にビス等により固着することにより、フィニッシャ部材４が開口部２ａの外延縁部を縁取り加飾することになる。  
【００４２】
この結果、蓋体３は開口部２ａに装着され、また、周長調整手段７を構成するスプリング６は蓋体本体３１に対して蓋体表装体３２を配動方向（図３に記載の矢印方向）に付勢していることになり、かかる付勢力はピン体３１ｂ−３が長孔３２ｃの後端側側壁に弾設することにより、受け止められている。
【００４３】
かかる状態においては、図５に示す蓋体３が開口部２ａを閉成している状態においては、蓋体本体３１の周長Ａ１と蓋体表装体３２の周長Ｂ１は、Ａ１＝Ｂ１の関係を有していて、両者の間に周長の差は生じていない。
【００４４】
このように蓋体３が開口部２ａを閉成した状態から、開口部２ａを開口すべく、ノブ片３３ａを持って蓋体３を図３の矢印方向である閉動方向に操作した場合には、蓋体３は、ガイド軸３１ａ−１がガイドレール部材５内を摺動して、後端部側からガイドレール部材５の屈曲部５ａに到達していきながら、徐々に屈曲させられ、蓋体収納袋部９内に収納されていくことになる。
【００４５】
かかる状態においては、図６に示すように、ガイドレール部材５の屈曲部５ａの存在により、蓋体本体３１の周長Ａ２と蓋体表装体３２の周長Ｂ２とは、Ａ２＜Ｂ２の関係を有することになって、両者の間に周長の差が生じることになる。
【００４６】
このように蓋体本体３１と蓋体表装体３２の間に生じた周長の差は、周長調整手段７のスプリング６の弾発力により、蓋体本体３１に対して、蓋体表装体３２が蓋体３の閉動方向である図３の矢印方向にスライド移動して、吸収されることになる。
【００４７】
以上説明した構成を有する本発明に係る実施例によれば、蓋体本体３１の外側面がセル３１ａの組み合わせによる凹凸面に形成されたとしても、当該外側面側には蓋体表装体３２が飾表装されて加飾されることになり、シャッター式の蓋体３を意匠的に優れたものとして構成することができる。
【００４８】
しかも、蓋体本体３１の外側面側に蓋体表装体３２を張設したことによって、蓋体３が蓋体収納袋部に屈曲して収納される際に、蓋体本体３１に対して蓋体表装体３２に周長差が生じたとしても、かかる周長差を周長調整手段７が調整して吸収することができることになり、蓋体の開閉動を常に円滑に行うことができる。即ち、周長調整手段７を構成するスプリング６により蓋体表装体３２が蓋体本体３１に対して相対的に蓋体３の閉動方向に付勢されているために、たとえ蓋体３が蓋体収納袋部９に収納される際にガイドレール部材５の屈曲部５ａの存在により屈曲して、蓋体本体３１と蓋体表装体との間に周長差が生じたとしても、蓋体表装体３２の周長差はスプリング６の弾発力により吸収されることになり、蓋体の開閉動を常に円滑に行うことができる。
【００４９】
また、かかる実施例においては、周長調整手段７を構成するスプリング６を取付けるためのスプリング座を蓋体本体３１の後端ピース３４に形成した突起３４ａにより構成したことにより、部品点数を削減して周長調整手段を構成することができ、しかも、スプリング６の設置作業を簡単化することができる。
【００５０】
また、かかる実施例においては、蓋体本体３１に蓋体表装体３２を張設して加飾するには、単に、長孔３２ｃ内にピン体３１ｂ−３を嵌合した上で、例えば、収納部２の開口部２ａの外延縁部を縁取り加飾する額縁状のフィニッシャ部材４を用いて蓋体３自体を押さえ込むだけで、可能となり、また、かかるフィニッシャ部材４を取り外すことにより、蓋体表装体３２体をデザインの異なったものに交換することができ、意匠面の選択自由度を増すことができる。
【００５１】
また、かかる実施例においては、蓋体表装体３２について、蓋体本体３１の外側面側を張設するプレート体３２ａとプレート体３２ａの外側面側に重合して表出するフィルム体３２ｂとの二構成タイプとしたことにより、異なったデザインを持ったフィルム体３２ｂを色々に選択することによって、多種多様な意匠面をもった蓋体３を製作することができる。
【００５２】
また、かかる実施例においては、プレート体３２ａが、軟質板材により構成されていることから、蓋体本体３１の屈曲変形をさらに容易にすることができて、蓋体３の開閉動を益々円滑に果たせることができる。
【００５３】
なお、上記実施例においては、周長調節手段は、コイル状のスプリング６を用いて構成したが、これに限定されるものではなく、蓋体本体３１と蓋体表装体３２との間にマグネットで構成する磁力引き合い手段を介在させて、構成するようにしてもよい。
【産業上の利用可能性】
【００５４】
以上説明したように、本発明は、たとえ蓋体が蓋体収納袋部に屈曲して収納される際に、蓋体本体に対して蓋体表装体に周長差が生じたとしても、かかる周長差を周長調整手段が調整して吸収することができることになり、蓋体の開閉動を常に円滑に行うことができるため、物品が出し入れ可能な開口部をシャッター式の蓋体により開閉可能とするとともに、前記蓋体の開口部閉成時に屈曲させて収納するようにに構成して、例えば自動車のコンソールボックス或いはカップホルダーなどとして使用されるシャッター方式の蓋体を備えた収納装置等に好適であるといえる。
【符号の説明】
【００５５】
１    収納装置
２    収納部
２ａ  開口部
３    蓋体
３１  蓋体本体
３１ｂ−３  ピン体
３２  蓋体表装体
３２ａ  プレート体
３２ｂ  フィルム
３１ｃ  長孔
３４  後端ピース（スプリング座）
４    フィニッシャ部材
５    ガイドレール部材
６    スプリング（周長調節手段）
９    蓋体収納袋部
【図１】
2011190601.tif 000003
【図２】
2011190601.tif 000004
【図３】
2011190601.tif 000005
【図４】
2011190601.tif 000006
【図５】
2011190601.tif 000007
【図６】
2011190601.tif 000008